(57)【要約】【課題】二つの異なる無線周波数（ＲＦ）信号の伝送方式を利用するトランスポンダ認識システム及びクレジットカード式トランスポンダを用いて高速道路におけるの渋滞の一因である料金所を高速で通過しても料金の徴収ができるシステムを構築して渋滞を解消しようとするものである。【解決手段】本発明は、二つの無線周波数信号中、一つはトーン（ｔｏｎｅ）変調されたものとして受動トランスポンダにより受信され、もう一つの信号との合成周波数と同一の高周波で再放射されるように非線形インピーダンスを介して混合させ、狭帯域受信機により認識されるようにすることと、小型クレジットカード式の長距離認識用受動トランスポンダのための高利得二重偏波アンテナの開発で、トランスポンダ方向に係りなく一定の利得を得、既存のトランスポンダタグアンテナより約６〜９ｄＢ程度の利得を向上させ、長距離認識性能を得る。
2004503125.tif 000002
【特許請求の範囲】
【請求項１】
感知対象地域の車両等や対象物の存在を監視するシステムにおいて、監視対象地域内で二つの相異なる周波数の無線信号を送信アンテナ（１１０）に放射し、無線信号中一つは一定の低周波に変調される送信機（１００）と、二つの相異なる中心周波数に同調されたアンテナ（２１０）を有し、前記アンテナに組み込まれた非線形インピーダンス半導体回路部（２２０）が二つの無線周波数を混合し、その混合周波数にデータトーン搬送信号を再放射するため異なる二つの周波数の合計と同一の共振周波数を有するタンク回路を有する受動トランスポンダ（２００）と、低周波変調信号を検出するため送信無線信号及びその高調波を排除してその搬送信号を受信及び復調する受信アンテナ（３１０）を含む狭帯域受信機（３００）とを具備することを特徴とする受動トランスポンダ認識システム。
【請求項２】
トランスポンダ（２００）で生成されて狭帯域受信機（３００）により検波された信号の強度及び持続時間が設定された最小値を超過するたび、感知対象地域内に受動トランスポンダ（２００）が存在することを示すため、予め決められたデジタルデータストリームをスタートさせるための手段である狭帯域受信機（３００）により重ね合わせられたデジタルデータ信号を検出することを特徴とする請求項１記載の受動トランスポンダ認識システム。
【請求項３】
低周波変調は、送信された無線周波信号中一つは狭帯域周波数変調により発生するトーン変調された高周波（ｆ１）であり、他の一つは固定された無線周波数での持続波を送信することを特徴とする請求項１記載の受動トランスポンダ認識システム。
【請求項４】
低周波変調は連続トーン変調無線周波信号を構成し、それらは限定された周波数範囲内にあるようにすることを特徴とする請求項３記載の受動トランスポンダ認識システム。
【請求項５】
トランスポンダ（２００）は選択された中心周波数の第２高調波共振周波数に同調するためのタンク回路を提供するため、閉ループ領域の向き合う間の終端部に連結されたチャージポンプ回路（２３０）と誘電体折返しダイポールアンテナ（２１０）及び非線形インピーダンス半導体回路部（２２０）で構成することを特徴とする請求項１記載の受動トランスポンダ認識システム。
【請求項６】
非線形インピーダンス半導体回路部（２２０）は、選択された中心周波数の２倍の周波数を共振周波数に有する同調タンク回路を形成するため、アンテナ（２１０）の一端で閉ループ領域の両側を連結することを特徴とする請求項５記載の受動トランスポンダ認識システム。
【請求項７】
狭帯域受信機（３００）は搬送信号用受信アンテナ（３１０）、トランスポンダ（２００）共振周波数で発生した狭帯域を除いた全ての信号を遮断するフィルター（３１１）と、濾過された搬送信号幅の比較測定出力を稼動させる信号幅の検出、前記の比較測定が設定された基準レベルを超過する場合にのみ前記の低周波変調検出を行い、比較器（３１２）の比較測定に従って反応する復調器とを具備することを特徴とする請求項１記載の受動トランスポンダ認識システム。
【請求項８】
変調検出は前記低周波変調の検出が開始された後、最少時間の間データ流出力を稼動するよう低周波変調に反応する機能を有することを特徴とする請求項７記載の受動トランスポンダ認識システム。
【請求項９】
受信アンテナ（３１０）により受信された共振周波数で発生した狭帯域以外の信号を遮断するバンドパスフィルター（３１１）と、前記フィルター（３１１）の通過帯域内で信号復調用中間周波数（ＩＦ）を生成する一連の手段と、前記の中間周波信号を増幅器（３２０）で増幅し、中間周波数幅の比較測定のための増幅器（３２１）（３２２）、比較器（３１２）の比較出力の幅が予め設定された閾値を超過する場合にのみ前記の低周波変調を発生させるよう、前記の中間周波数を復調する比較測定出力に従って反応する狭帯域修正弁別器（３２３）とを有することを特徴とする請求項７記載の受動トランスポンダ認識システム。
【請求項１０】
低周波変調は狭い周波数偏差の限界内にある無線周波信号中の一つとして一定のトーン変調を備え、狭帯域受信機（３００）は前記の固定トーン周波数に同調されるＶＣＯ（３２４）による位相固定通信方式を受け入れ、各出力が開始される一定の時間の間デジタルデータ流が稼動されるよう出力まで連結される増幅器（３４０）作動させることを特徴とする請求項９記載の受動トランスポンダ認識システム。
【請求項１１】
監視対象地域内で受動トランスポンダ（２００）の存在を検出するシステムにおいて、任意の低周波トーンにより変調された搬送周波数で帯域幅の狭い無線周波数を発生して放射する送信機（１００）を含み、送信機（１００）周波数信号に反応するトランスポンダ（２００）は複数の異なる高調波で搬送信号を発生及び再放射するよう前記の送信機（１００）により放射され、再放射された信号は低周波トーンにデータ流れを加えて固定された低周波トーンを具備し、更に受信機（３００）システムを備え、該受信機（３００）システムは、構成しているものには前記の再放射された搬送信号を受信するアンテナ（３１０）により受信された再放射信号に相応して濾過された出力が出るよう前記の高調波で再放射された搬送信号を含み、帯域以外の周波数までアンテナ（３１０）により受信された信号を遮断する狭帯域フィルター（３１１）を有し、比較器（３１２）が予め設定された閾値を超過して作動する場合にのみ低周波変調信号が出て、前記の濾過された出力を復調するよう出力比較水準に反応する復調手段を有することを特徴とする受動トランスポンダ認識システム。
【請求項１２】
受信機システムは、低周波変調信号の監視が開始された後、最小限の時間だけ出力を発生して前記の低周波変調に対する監視に応答する一連の復調手段等を有することを特徴とする請求項１１記載の受動トランスポンダ認識システム。
【請求項１３】
帯域幅の狭い無線周波信号は固定されたオーディオトーンにより変調された安定な搬送信号を構成し、前記狭帯域フィルター（３１１）は局部発振器（３１４）修正フィルター（３２４）を含み、更に前記中間周波信号を駆動するミキサー（３１９）及び前記中間周波信号用に狭帯域修正フィルター（３２４）を含み、幅の感知は前記のパス帯域内で比較測定を稼動して修正フィルター（３２４）から信号の復調のため中間周波信号を増幅させる一連の手段が前記の修正フィルター（３２４）からの出力幅に相応して含ませ、前記の復調手段等は出力時に固定トーン変調信号が出るよう狭帯域周波数弁別装置及び修正弁別器（３２３）の出力を固定するため比較測定に反応するクランプ回路（３２５）を構成するが、前記の比較器（３１２）による比較測定は閾値を超過するときを除かせることを特徴とする請求項１１記載の受動トランスポンダ認識システム。
【請求項１４】
受信機システム（３００）は、一定の時間の間デジタルデータ流れ出力を稼動させるための前記復調手段は、受動トランスポンダ（２００）内に設けたメモリ回路に応じて６４ビットから１６キロビットまで含ませることを特徴とする請求項１１又は１３記載の受動トランスポンダ認識システム。
【請求項１５】
ダイポールアンテナ（２１１）及びスロットアンテナ（２１２）と半導体回路部（２００）で構成された４００ＭＨｚ〜２５ＧＨｚの高周波ＲＦＩＤトランスポンダ（２００）をクレジットカード（１０）に内蔵していることを特徴とするクレジットカード式トランスポンダ。
【請求項１６】
４００ＭＨｚ〜２５ＧＨｚの高周波ＲＦＩＤ用薄板型スロット構造でなるアンテナ（２１２）及びダイポール構造でなるアンテナ（２１１）と、スロットの中央部にトランスポンダ用半導体回路部（２２０）をマグネチック帯（１１）を基準に広い側のクレジットカード（１０）内に内蔵して構成することを特徴とする請求項１５記載のクレジットカード式トランスポンダ。
【請求項１７】
クレジットカード（１０）に内蔵されるアンテナに薄い薄板の導体を用いて中央にλ／４波長に該当するスロットアンテナ（２１２）を作り、下方にスロット幅が９０度まで広がるホーン状のテーパスロットアンテナ（２１３）を形成して構成することを特徴とする請求項１５記載のクレジットカード式トランスポンダ。
【請求項１８】
送出利得の増加及びアンテナの方向性問題を減少させるため、二つのスロットアンテナ（２１２）を直角に配置して二重偏波を形成し、両側の縁に二つのダイポールアンテナ（２１１）を構成することを特徴とする請求項１７記載のクレジットカード式トランスポンダ。
【請求項１９】
走行中の車両に備えられた長距離認識ＲＦＩＤクレジットカード（１０）を直接認識できる質問機（４０）と、車両検出及び車種分類装置（４４）と、無断通過車両に対する車両番号撮影装置（４５）、トールゲートを通過する車両に対する長距離認識ＲＦＩＤクレジットカード（１０）を認識する認識処理コンピューター（４１）で構成し、前記認識処理コンピューター（４１）によるデータを公知された徴収管理コンピューター（４２）、中央処理コンピューター（４３）、金融情報電算網（４６）に伝送するよう構成することを特徴とするクレジットカード式トランスポンダ認識システム。
【請求項２０】
ＲＦＩＤクレジットカード（１０）を料金支払意思の表示に車両内に取り付ける場合、ＲＦＩＤクレジットカード（１０）をカードホールド型スタンド（３２）に差し込んで車両のダッシュボード上に取り付けるか、又はＰＶＣ材質のカードクリップ（３１）をルームミラーの後に取り付けるか、又は透明材質のビニルを利用したカードポケット（３３）に挿入してＲＦＩＤクレジットカード（３１０）を容易に取り出し又は回収できるようにすることを特徴とする請求項１９記載のクレジットカード式トランスポンダ認識システム。
【請求項２１】
長距離認識用ＲＦＩＤ質問機（４０）は車道の中央上部の約４．５ｍの高さにし、車両番号撮影用カメラ（４５ａ）は同じ高さの約２０ｍ後方に、交差車道に対しては互いに反対方向のビーコン指向特性を有するようにし、システムの相互干渉が最小になるようにすることを特徴とする請求項１９記載のクレジットカード式トランスポンダ認識システム。
【請求項２２】
車両に備えられた長距離認識ＲＦＩＤクレジットカード（１０）を、直接認識処理できる長距離認識用ＲＦＩＤ質問機（４０）と徴収管理コンピューター（４２）で構成し、駐車料金自動徴収システム及び注油料金自動決済システムに用いることができるようにすることを特徴とする請求項１記載のクレジットカード式トランスポンダ認識システム。
【発明の詳細な説明】
【０００１】
【発明の属する技術分野】
本発明は情報の貯蔵、固有番号の送出による受動トランスポンダ（ｐａｓｓｉｖｅ　ｔｒａｎｓｐｏｎｄｅｒ）認識システム及びクレジットカード式トランスポンダに関し、特にメモリ（ＩＣ）カードと並行して近接距離で認識を必要とする出入カード、バス、電車カード、及びその他のこれと類似するシステムに有用な無線周波数（ＲＦ）受動トランスポンダに関するものである。
このようなシステムには、移動体に携帯できる超小型の送受信回路を内蔵した遠隔トランスポンダを必要とする。特に、本発明では比較的に遠距離、そして高速の移動体に対する認識技術を提供する受動トランスポンダに関するものである。
【０００２】
【従来の技術】
既存のトランスポンダ認識システムは、トランスポンダタグ（ｔａｇ）等のアンテナにより感知されるように単一無線周波数を送信し、ここに用いられる半導体ダイオードのような非線形インピーダンスは受信装置により感知されるように再放射される送信信号の選択された高周波を発生する。
【０００３】
【発明が解決しようとする課題】
このような認識システムは感知領域でトランスポンダの感知を確実にするための感度、及び多様な条件に対する応答時の判読誤謬の発生等で実用化には満足できるものでないことが明らかになった。
重要なことは、送信機回路とその素子において非線形は本来基本的な送信周波数と共に高調波が発生し、トランスポンダに非線形インピーダンス素子のない状態においても受信機に信号が流れ込まれる結果をもたらす。若し、このように直接発射される送信高調波の影響を減少させるため受信機の感度を低くすれば、受動トランスポンダ素子により再放射された弱いエネルギー高調波はその中に埋め込まれ受信機に到達できないはずである。勿論、送信機及び受信機に対する適当な遮蔽や無線周波数濾波回路（ＲＦ　Ｆｉｌｔｅｒｉｎｇ）によりこのような問題を最小化できるはずであるが、濾波器（Ｆｉｌｔｅｒ）は送信信号の小さい周波数偏移さえも容易に濾波器通過帯域の外部に存在する再放射周波数になり得るため、かなり精巧な遮断特性がなければならないという問題がある。更に、周波数偏移は感知領域内で高速に移動するトランスポンダで発生するドップラー効果によっても起因することがある。その反面、このような高調波信号は設計された感知領域の外部に容易に伝播することができ、感知領域外のトランスポンダから誤ったデータ情報を放射する原因になる。
結果的に、高周波エネルギーは多重定常波等のような予測できない反射により伝播し、システムの目的に反するような影響を与えるようになる。
【０００４】
逆に、受信されたエネルギー及び高調波で再放射されるエネルギーが不充分であれば、感知領域内でトランスポンダ素子の実在的な存在にもシステムは応答しないこともある。例えば、送信電界の偏波に対しトランスポンダアンテナが不適切な向きに設定されたか、又はアンテナが電磁気的に近くにある車両、道路の壁、トールゲートの遮断機等により受信機から遮蔽されるような事態が発生することがある。さらに、人間の身体、金属物体のようなものに対するトランスポンダの近接は、共振タンク回路の同調を外れるようにして受信機で必要とする高周波エネルギーを分散させることになる。ここに、信号追跡回路が送信機周波数変動を補償するため受信機での周波数応答を調整するように構成することができるが、同調タンク回路が正常周波数でない他の周波数で発振するたびにトランスポンダの効率は低下する。
【０００５】
さらに他の技術に、互いに異なる周波数を有する二つの送信信号に対し和と差の周波数を発生させる信号ミキサーとして動作する非直線形インピーダンス素子を有する感知領域で高周波伝送を制限する問題があり、これを克服するための方案として高電力と関連した高周波電磁界場及び感知領域の反対側に配置された不連続導体の間で形成された低周波静電界を利用した二重フィールド（Ｆｉｅｌｄ）システムを用いる。このような二種類のフィールドに適用された非線形インピーダンス素子は、受信機に再放射される和・差周波数を生成するためのミキサーとして動作する。しかし、感知領域内で必要とする静電界を形成するため必要とする電力が重要であるが、このような低周波静電界は周囲を取り囲む導体によりトランスポンダを遮蔽することがあり、周辺の金属性交通標識やそれと類似する金属構造物によりトランスポンダが遮蔽されることがある。さらに、低周波静電界は近接の金属構造物により遠距離からでも容易にシステムの判読誤謬及び不動作状態に陥れることがある。
【０００６】
【課題を解決するための手段】
本発明は受動トランスポンダ（ｐａｓｓｉｖｅ　ｔｒａｎｓｐｏｎｄｅｒ）認識システムに関し、特に二つの異なる無線周波数（ＲＦ）信号の伝送方式を利用するトランスポンダ認識システムの提供を図るものである。
本発明は、二つの無線周波数信号中一つはトーン（ｔｏｎｅ）変調されたものとして受動トランスポンダにより受信され、それらの合成周波数と同一の高周波で再放射されるよう非線形インピーダンスを介して混合させ、狭帯域受信機により認識されるようにすることを特徴とする。
このような本発明は、如何なる種類の電源も有しない受動トランスポンダと直接的な関連がある。
【０００７】
具体的に本発明は車両等の移動体認識システムに用いるタッグに半導体の集積回路のような非線形インピーダンス素子を含む受動トランスポンダであり、選択された中心周波数の両側に偏移になったマイクロストリップアンテナに連結される。
前記の非線形インピーダンス素子は、選択された中心周波数の２倍の周波数を共振周波数に有する同調タンク回路を形成するため、アンテナの一端で閉ループ領域の両側を連結する。
【０００８】
なお、第１番送信機は中心周波数の一側に偏移になったトーン（Ｔｏｎｅ）変調された高周波を発生し、第２番送信機は中心周波数の他の一側に偏移になった持続波（ＣＷ）高周波を発生する。このような二つの送信信号は、必要領域を含む（ＣＯＶＥＲ）ことができるように位置した相互直角に配列されたダイポールアンテナストリップにそれぞれ独立的に給電する。前記でそれぞれ異なる周波数に対しダイポールストリップは各側面に対して直角に配置され、同じ周波数に対しては他の反対側に対して相互直角に配置される。従って、必要とする検出領域内で両周波数に対し直交偏波（Ｃｒｏｓｓ　Ｐｏｌａｒｉｚｅｄ）になった送信を行うことになる。
【０００９】
受動トランスポンダから受信された二つの互いに異なる周波数は非線形インピーダンス素子により混合され、タンク回路は二つの周波数の合計と同一で中心周波数の２倍である単一高周波に共振されるようにする。このように生成された共振周波数は質問機（ｉｎｔｅｒｒｏｇａｔｏｒ）により認識され得るよう再放射される。これは受動トランスポンダで生成して搭載されたデータ情報が合成周波数に応答する超狭帯域受信機により検出される。
【００１０】
受動トランスポンダから引き込まれたデータ信号を含む変調トーン（ｔｏｎｅ）は、感知された信号が十分な信号強度と持続時間を有する場合にのみ一定の間隔に受信データコードを出力するよう予め設定された基準レベルとの比較のため、漸次増加する電荷を受信信号から生成する。
【００１１】
本発明は質問機（ｉｎｔｅｒｒｏｇａｔｏｒ）とトランスポンダ認識システム、特に車両の前面ガラス又は車両番号板、小包、病院患者、動物、クレジットカード等のその他のモニターリング及び認識を必要とする物体に付着した、誘電体マイクロストリップ（Ｐｒｉｎｔｅｄ　ｄｉｅｌｅｃｔｒｉｃ　ｍｉｃｒｏ−ｓｔｒｉｐ）アンテナに連結された半導体の非線形インピーダンス素子を利用した受動型（Ｐａｓｓｉｖｅ）のより改善された認識システムに関するものであり、情報はデジタルの形に貯蔵するようにするものである。
【００１２】
具体的に説明すれば、感知対象地域の車両や対象物の存在を監視するシステムにおいて、監視対象地域内で二つの相違する周波数の無線周波信号を送信アンテナ（１１０）に放射し、無線周波数信号中一つは一定の低周波に変調される送信機（１００）と二つの相違する中心周波数に同調されたアンテナ（２１０）を有し、前記アンテナに挿入された非線形インピーダンス半導体回路部（２２０）が二つの無線周波数を混合し、その混合周波数にデータトーンを変調して再放射し相違する二つの周波数の変調信号を検出するため、送信無線周波信号及びその高調波を排除してその変調信号を受信及び復調する受信アンテナ（３１０）を含む狭帯域受信機（３００）とを具備する。
【００１３】
前記の送信された無線周波信号中一つは狭帯域周波数変調により発生するトーン変調された高周波（ｆ１）であり、他の一つは固定された無線周波数での持続波（非変調ＣＷ：ｆ２）であり、低周波変調は連続トーン変調無線周波信号を構成してそれらは限定された周波数範囲内にあるようにする。
【００１４】
このような異なる二つの高調波信号が誘電体ダイポール送信アンテナ（１１０）から感知対象領域に送信されるが、これらの中の一つの信号（ｆ２）は図５のように、固定周波数（例：９０５ＭＨｚ）の高安定修正発振器（１１１）から持続波（ＣＷ）に発振し、これは選択された中心周波数から約１％程度の偏移になっている。さらに他の送信信号（ｆ１）は１−２５ｋＨｚ範囲の値にトーン変調された信号であり、これは搬送波周波数から±５ｋＨｚ偏移になった高周波信号を作るためのものである。この高周波（９２５ｋＨｚ）も図４のＶＣＯ（Ｖｏｌｔａｇｅ　Ｃｏｎｔｒｏｌｌｅｄ　Ｏｓｃｉｌｌａｔｏｒ）（１１２）により作られたものであり、このような二つの高周波は選択された中心周波数から均一に偏移したものである。従って、二つの信号の平均中心周波数は選択された中心周波数と同じである。
高周波の一つであるトーン変調された信号（ｆ１）は、受動トランスポンダ（２００）感知対象領域内でブラインドスポット（ｂｌｉｎｄ　ｓｐｏｔ）をもたらす定常波パターンの発生を抑制する。
【００１５】
前記のトランスポンダ（２００）は、選択された中心周波数の第２高調波共振周波数に同調するためのタンク回路を提供するため、閉ループ領域の向き合う間の終端部に連結されたチャージポンプ（Ｃｈａｒｇｅ　Ｐｕｍｐ）回路（２３０）と誘電体折返しダイポールアンテナ（Ｐａｓｓｉｖｅ　Ｄｉｅｌｅｃｔｒｉｃ　ｓｕｂｓｔｒａｔｅ　ｆｏｌｄｅｄ　ｄｉｐｏｌｅ　ａｎｔｅｎｎａ）（２１０）及び非線形インピーダンス半導体回路部（２２０）を具備する。前記のチャージポンプ回路（２３０）はキャパシタンスとインダクタンスからなり、非線形インピーダンス半導体回路部（２２０）は非線形インピーダンス半導体（２２０Ａ）、ショットキーダイオード（Ｓｃｈｏｔｔｋｙ　Ｄｉｏｄｅ）（Ｄ）、コンデンサ（Ｃ１）（Ｃ２）からなり、前記半導体（２２０Ａ）の内部にパワー部が構成される。
【００１６】
前記の狭帯域受信機（３００）は、図６のように搬送信号用受信アンテナ（３１０）、トランスポンダ（２００）共振周波数で発生した狭帯域を除いた全ての信号を遮断するフィルター（３１１）、濾過された受信信号幅の比較測定出力を稼動させる信号幅の検出、前記の比較測定が設定された基準レベルを超過する場合にのみ前記の低周波変調検出を行い、比較器（３１２）の比較測定に従って反応する復調器を構成する。前記での検出は低周波変調の検出を意味し、トランスポンダ（２００）で生成されて狭帯域受信機（３００）により検波された信号の強度及び持続時間が設定された最小値を超過するたび、感知対象地域内に受動トランスポンダ（２００）が存在することを示すため、予め決められたデジタルストリームを始めるための手段に狭帯域受信機（３００）により重ね合わせられたデジタルデータ信号を検出することである。なお、前記受信機（３００）は受信アンテナ（３１０）により受信されたトランスポンダの共振回路から発生した狭帯域以外の信号を遮断するバンドパスフィルター（３１１）、前記フィルター（３１１）の通過帯域内で信号復調用中間周波数（ＩＦ）を生成するための局部発振器（３１４）、逓倍器（３１５）（３１６）、フィルター（３１７）（３１８）、及びミキサー（３１９）でなる手段等、前記の中間周波数信号を増幅器（３２０）で増幅し、中間周波数幅の比較測定のための増幅器（３２１）（３２２）、比較出力の幅が予め設定された閾値（ｔｈｒｅｓｈｏｌｄ）値を超過する場合にのみ前記の低周波変調を発生させるようにする比較器（３１２）、前記の中間周波数を復調する比較測定出力に従って反応する狭帯域修正弁別器（３２３）を具備する。前記で低周波信号は狭い周波数偏差の限界内にある無線周波信号中一つで一定のトーン変調を構成し、狭帯域受信機（３００）は前記の固定トーン周波数に同調されるＶＣＯ（３２７）による位相固定通信方式と、各出力が開始される一定の時間の間デジタルデータ流が稼動されるよう出力まで連結される増幅器（３４０）の作動を含む。
【００１７】
一方、監視対象地域内で受動トランスポンダ（２００）の存在を検出するシステムにおいては、一定の低周波トーンにより変調された搬送周波数で帯域幅の狭い無線周波数を生成して放射する送信機（１００）を含み、送信機（１００）周波数信号に反応するトランスポンダ（２００）は相違する高調波で搬送信号を生成して再放射するように前記の送信機（１００）により放射され、再放射された信号は低周波トーンにデータ流を加えて固定された低周波トーンを構成し、受信機（３００）システムが構成しているものには前記の再放射された搬送信号を受信するアンテナ（３１０）により受信された再放射信号に相応して濾過された出力が出るよう前記の高調波で再放射された搬送信号と、帯域以外の周波数までアンテナ（３１０）により受信された信号を遮断する狭帯域フィルター（３１１）を有し、比較器（３１２）が予め設定された閾値を超過して作動する場合にのみ低周波変調信号が出て、前記の濾過された出力を復調するように出力比較水準に反応する復調手段を有する。
【００１８】
前記受信機システムでは低周波変調信号の監視が開始された後、最小限の時間の間、出力を稼動する前記の低周波変調に対する監視に応答する復調手段等を有する。なお、帯域幅の狭い無線周波信号は固定されたオーディオトーンにより変調された安定的な搬送を構成し、前記の狭帯域フィルター（３１１）は局部発振器（３１４）と中間周波信号を生成するミキサー（３１９）及び前記中間周波信号用に狭帯域修正フィルター（３２４）を含み、幅の感知は前記のパス帯域内で比較測定を稼動して修正フィルター（３２４）から信号の復調のため中間周波信号を増幅させる手段等が前記の修正フィルター（３２４）からの出力幅に相応して含ませ、前記の復調手段等は出力時に固定トーン変調信号が出るよう狭帯域周波数弁別装置及び修正弁別器（３２３）の出力を固定するため比較測定に反応するクランプ回路（３２５）を構成し、前記の比較器（３１２）による比較測定は閾値を超過するとき通過させる。
さらに、前記受信機システム（３００）は一定の時間の間、デジタルデータ流出力を稼動させるための前記の復調手段等とデジタルコード流は、受動トランスポンダ（２００）内に付着したメモリ回路（半導体：２２０Ａ）に依存して６４ビットから１６キロビットまで含まれる。図６の図面中３２８はデータ検出器、３２９はビットエラー検出器、３４２はローパスフィルターである。
このような構成で、半導体（２２０Ａ）の静電容量とアンテナ（２１０）の隣接する閉ループ領域のインダクタンスにより決定される第２高調波（本発明の例では１８３０ｋＨｚ）のための非線形インピーダンス半導体回路部（２２０）、及びチャージポンプ回路（２３０）を経て連続された長いアンテナ領域は、大凡図３ａのように選択された中心周波数（本発明の例では９１５ｋＨｚ）に対するλ／４の近似値である。
【００１９】
図３ａで、Ｚは伝送ラインインピーダンス（５０ｏｈｍｓ）であり、Ｉ１、Ｉ２は高周波整流されたＤＣ電流の流れを示すものであり、ショットキーダイオード（Ｄ）は受信機に伝送するためのミキシング＋周波数ダブリング＋データストリームの追加のため、ｆ１、ｆ２から得られた高周波整流された電流を半導体（２２０Ａ）内のパワー部に供給し、半導体（２２０Ａ）はショットキー検出ダイオード（Ｄ）によりｆ１（ｍｏｄ）＋ｆ２されたチャージポンプ電力でデータを搭載する。
【００２０】
さらに重要なこととして、二つの周波数による運営方法は送信周波数ドリフトの影響を減少させ、入射する後方散乱（ｂａｃｋ　ｓｃａｔｔｅｒ）高周波信号の再放射においてトランスポンダ効率の側面でシステム帯域幅を増加させる。特に、トランスポンダ（２００）アンテナ（２１０）が同調された周波数は、深刻なトランスポンダ効率（ｅｆｆｉｃｉｅｎｃｙ）の減少なく送信された二つの周波数の間の何処にも存在することができる。このようにして正確なアンテナ製作の必要性を除去し、現場で非同調と関連した問題を最小化することができる。ここで、トランスポンダ（２００）の一般的な同調ポイントはトランスポンダに近接した物体の誘電体ローディング効果（ｄｉｅｌｅｃｔｒｉｃ　ｌｏａｄｉｎｇ　ｅｆｆｅｃｔ）のため低い周波数の方に偏移する。例えば、トランスポンダ（２００）アンテナの選択された中心周波数から下向きに再同調したのであれば、これはより低い送信周波数に対し、トランスポンダ（２００）の効率を増加させることになる。全体的なミキサーは、適当なミキシングが１０又はそれ以上の高周波電力比により発生するため深刻な影響は受けない。このような方法で送信機の周波数ドリフト（Ｄｒｉｆｔ）の影響を最小化する。即ち、送信機の一側に対する偏移が一つの周波数システムで再放射された高調波でのように多重化せず、一つの周波数でのドリフトは他の送信機での反対偏移により相殺することができる。
【００２１】
再放射されたトランスポンダ（２００）信号の強度及び周波数安定度は、当該受信機の衝突防止ソフトウェアと共に誤った二重認識の可能性を取り除いて受信機の最大感度及び最小帯域幅を提供する。再放射された信号は、送信周波数を遮断する非常に狭小な帯域通過フィルターを経て円偏波の受信アンテナ（３１０）から受信され、この信号は図６のように一般的な復調技術を利用して変調データトーン（ｔｏｎｅ）が得られるよう増幅される。一般に、オーディオトーン（例：２ｋＨｚ）は受信機アンテナ（３１０）から濾波及び増幅された信号がミキサー（３１９）の出力で適当な中間周波数（例：ＩＦ　２１．５ｋＨｚ）を作るように、安定した局部発振器（３１４）から発生した信号（例：１８０８．５ｋＨｚ）の入力信号を受信する受動型ミキサーに印加され得るようにする無線搬送波を変調することに利用される。ミキサー（３１９）での中間周波数出力は増幅器（３２０）により増幅され、事前検出帯域幅を規定する狭小な通過帯域フィルター（例：３０ｋＨｚ）（３２４）及び修正弁別器（３２３）による修正弁別（Ｄｉｓｃｒｉｍｉｎａｔｉｏｎ）過程を経て行われ、この出力はその入力がシステムの感度を決めるため設定された基準レベルを超過するＡＧＣ検出器（３２６）電圧を発生させるに十分な強度になるまで、クランプ回路（３２５）によりクランピングされる。以後クランプ（３２５）の開放でトーンはＶＣＯ（３２７）がデータトーンと同じ自走周波数（Ｆｒｅｅ　ｒｕｎｎｉｎｇ　ｆｒｅｑｕｅｎｃｙ）を有し、狭小周波数範囲（±１０％）内で安定したデータトーンを取得できるＰＬＬ／データトーン検出回路（ＶＣＯ（３２７）とプリアンブル検出回路（３１３）による検出回路）に印加され、ループがデータトーン信号を得れば直交検波器はＣＰＵでデジタル情報を取得し、貯蔵するのに十分な持続性を有する受信されたトランスポンダデータ情報を出力する位相ロック状態になって検出する。
【００２２】
【発明の実施の形態】
本発明をクレジットカードに内蔵させて用いる場合の実施例、及びクレジットカードを利用した自動車通行料徴収のための実施例を介して具体的に説明する。
【００２３】
【実施例１】
本発明の実施例１においては、長距離認識のための無線周波数を利用した遠隔認識システム（ＲＦＩＤ：Ｒａｄｉｏ　Ｆｒｅｑｕｅｎｃｙ　Ｒｅｍｏｔｅ　Ｉｄｅｎｔｉｆｙ　Ｓｙｓｔｅｍ）を内蔵したクレジットカード式トランスポンダを提示しようとすることである。
即ち、マイクロストリップアンテナの開口面積を最大に活用して二つのスロット及び二つのダイポールアンテナを適切に配置し、受信電波の２次高調波に対しても共振点に合せて最大の放射効率になるようにすることにより、送受信周波の同じ後方散乱（Ｂａｃｋ　Ｓｃａｔｔｅｒ）をキャリアに用いるシステムでの非効率的な問題を解消するように、小型のカードの大きさ内で質問機から放射されるビーム電力を最大に受信できるようにし、二つのスロット共振アンテナを直交配置二重偏波アンテナを構成して方向に従う受信電力が一定であるための長距離認識を可能にする。
【００２４】
質問機でビーコン（Ｂｅａｃｏｎ）を送出し、領域内にあるトランスポンダは受信されたビーコンの高周波を直流電源に変換し、ロジック及びメモリ半導体を動作させて後方散乱に固有情報を変調して伝送することにより認識する受動トランスポンダ（Ｐａｓｓｉｖｅ　ｔｒａｎｓｐｏｎｄｅｒ）システムと、トランスポンダタッグに別途の電源を用いて半導体の動作電源に用いるセミパッシブ型及びアクティブ型等がある。
【００２５】
一般に近接距離に用いられる電車及びバス用定期券、出入カード、そして乾電池内蔵型の駐車場管理及び車両管理システム、動物管理システム、物流管理システム等に応用されてその応用分野は日ごとに増大しており、小型のタグ型に用いられるアンテナは近接距離低周波の場合はコイル型のループアンテナ、高周波の場合はマイクロストリップ又はダイポールアンテナ型としてその利得は−３〜＋３ｄＢｉ程度であり、偏波面はリニアアンテナが主に用いられている。
【００２６】
後方散乱を利用してパッシブ型の高周波身元確認送・受信装置システムは、その用途の多様さにも拘らず最大認識距離が５メートル程度であり、周波数のドリフト等の影響を直接的に受ける高速移動体の認識等には認識距離の短縮及び認識率の低下等の限界性があり、高速移動体に適用するためにはアクティブ型の送・受信装置を用いるか、又は乾電池が内蔵されたセミパッシブ方式、或いは高速の遠距離認識を可能にするため別途の電源を用いて無線通信部分を担当するＯＢＵ（Ｏｎ　Ｂｏａｒｄ　Ｕｎｉｔ）等が設けられて応用されている。
【００２７】
このようなアクティブ型又はＯＢＵ型は送・受信装置の小型化が困難であるため、応用分野が制限されてアクティブ素子の劣化等に伴い耐久性を保障することができず、さらに時計用乾電池等を用いたシステムは小型化が可能であるが認識距離と使用回数等に従って乾電池の寿命に直接的な影響を受けるため、その耐久性や安定性は勿論これにより寿命が短縮される問題点が発生することがある。
【００２８】
さらに、乾電池内蔵型はクレジットカードへの製作が不可能な問題点があり、用いられる送・受信装置のアンテナが直線偏波を用いるリニア型であるためトランスポンダの質問機との方向に従ってその利得変化が大きく表われ、認識距離が縮小される問題点が発生することがある。
【００２９】
本発明は前記のような問題点を解消するためのものであり、マイクロストリップアンテナの開口面積を最大に活用して二つのスロットアンテナ及び二つのダイポールアンテナを適切に配置し、受信電波の２次高調波に対しても共振点に合せて最大の放射効率になるようにすることにより、送受信周波の同じ後方散乱をキャリアに用いるシステムでの非効率的な問題を解消するように、小型のカードの大きさ内で質問機から放射されるビーム電力を最大に受信できるようにし、二つのスロット共振アンテナを直交配置二重偏波アンテナを構成して、方向による受信電力が一定であるため長距離認識を可能にすることを提供しようとするものである。
【００３０】
このような本発明は、アンテナの設計製作において薄板の銅板又はアルミニウム板を両面にＰＶＣで包装した後、マイクロストリップ及びスロット共振回路を適用することによりクレジットカード式への製作を容易にすることである。
【００３１】
具体的にはカード（Ｔｒａｎｓｐｏｎｄｅｒ　Ｃａｒｄ）用アンテナ設計及び製作において、容易なマイクロストリップアンテナ（Ｍｉｃｒｏｓｔｒｉｐ　ａｎｔｅｎｎａ）の基本理論に充実するようにし、前記マイクロストリップアンテナの効率を最大化するためテーパスロットアンテナ（Ｔａｐｅｒｅｄ　Ｓｌｏｔ　Ａｎｔｅｎｎａ）及びダイポールアンテナ（Ｄｉｐｏｌｅ　Ａｎｔｅｎｎａ）、そして集積回路の複合の形になる金属アンテナのトランスポンダを具備し、偏波面は通常カードの携帯及び設置方向の任意性を考慮し二つのテーパスロットアンテナを直角に配置して二重偏波（Ｄｕａｌ　Ｐｏｌａｒｉｚａｔｉｏｎ）になるようにし、受信高周波電力の最大化のため開口面積を最大限にクレジットカードの大きさになることができるようにし、二つのダイポールアンテナを配置して送出利得が増加するようにし、クレジットカードの発給時にエンボシング（Ｅｍｂｏｓｓｉｎｇ）でマーキングされる情報の収容のため、０．１ｍｍ以下の銅薄板（Ｃｏｐｐｅｒ　ｔｈｉｎ　ｐｌａｔｅ）で両面に包装されるＰＶＣの誘電率（Ｄｉｅｌｅｃｔｒｉｃ　ｃｏｎｓｔａｎｔ）に符合するようにすることである。
【００３２】
前記での質問機でビーコン（Ｂｅａｃｏｎ）を送出し、領域内にあるトランスポンダは受信したビーコンの高周波を直流電源に変換し、ロジック及びメモリ半導体を動作させて後方散乱に固有情報を変調して伝送することにより認識する受動トランスポンダ（Ｐａｓｓｉｖｅ　ｔｒａｎｓｐｏｎｄｅｒ）システム型である。
【００３３】
一般的なクレジットカードは図７ａで見られるように、横８５．６±０．１２ｍｍ（Ａ）、縦５３．９８±０．５５ｍｍ（Ｂ）の大きさであり、縁から最大５．５４ｍｍ（Ｃ）と最小１５．８２（Ｄ）ｍｍの大きさを有するマグネチック帯（１１）で構成され、図７ｂのような厚さ０．７６±０．０８ｍｍ（Ｅ）の規格でなる一般的なクレジットカード（１０）に添付図面の図８ａで見られるように、受動トランスポンダを実装するものである。即ち、クレジットカード（１０）のマグネチック帯（１１）とトランスポンダの間の干渉が発生しないよう、トランスポンダ（２００）の誘電体折返しダイポールアンテナ（金属アンテナ）（２１０）の仮想接地面をマグネチック帯（１１）の側に向くようにして下部に配置することにより、電子波がスロット開口面に十分なビームを形成するようにする。
【００３４】
さらに、トランスポンダ用非線形インピーダンス半導体回路部（集積回路）（２２０）は図８ｂのクレジットカード（１０）の側面図のように、薄い薄板のアンテナ（２１０）と共にＰＶＣ材質のクレジットカード（１０）内に文字エンボシングの影響を受けないよう、図８ａのように縁から最小１４ｍｍ（Ｆ）と最大１９ｍｍ（Ｇ）の間に配置される。
【００３５】
さらに、添付図面の図９と図１０はクレジットカード（１０）に実装されるアンテナ（２１０）の構造を示すものであり、受動トランスポンダ（２００）は質問機（未図示）の無線周波数帯域からトランスポンダ用半導体回路部（２２０）の動作に必要な電力エネルギー源を得て、アンテナ（２１０）又は非線形素子インピーダンス変調による応答コードを伝送するためエネルギーを用い、クレジットカード（１０）型のトランスポンダ（２００）はアンテナ（２１０）と少なくとも一つの半導体回路部（２２０）で構成され、アンテナ（２１０）の構造と特性等はトランスポンダを取り囲む材料の特性と動作要求周波数により決定される。
即ち、本発明は図９及び図１０に示すように、ダイポール共振アンテナ（２１１）及びスロットアンテナ（２１２）と半導体回路部（２２０）で構成された４００ＭＨｚ〜２５ＧＨｚの高周波ＲＦＩＤトランスポンダをクレジットカード（１０）に内蔵し、一般的なクレジットカードとして利用すると共に有料道路料金徴収システム、ガソリンスタンド料金決済、駐車場料金徴収、及び駐車場管理システム等で車両に別途の通信装置との接続なく、便利に利用できるように構成するものである。
【００３６】
前記、４００ＭＨｚ〜２５ＧＨｚ高周波ＲＦＩＤ用薄板型スロットを具備するスロットアンテナ（２１２）、及びダイポール構造からなるアンテナ（２１１）とスロットの中央部にトランスポンダ用半導体回路部（２２０）を図８ａ、図８ｂのように、マグネチック帯（１１）を基準に広い側のクレジットカード（１０）や各種の出入カードのＰＶＣ材質の中に内蔵する。
【００３７】
なお、図１１のようにクレジットカード（１０）に内蔵されるアンテナに薄い銅板、又はこれに類似する導体を用いて中央にλ／４波長に該当するスロットアンテナ（２１２）を作り、下方にスロット幅が９０度まで広がるホーン状のテーパスロットアンテナ（２１３）を形成する。
【００３８】
さらに図９のように、送出利得の増加及びアンテナの方向性問題を減少させるため、二つのスロットアンテナ（２１２）を直角に配置して二重偏波を形成し、両側の縁に二つのダイポール共振アンテナ（２１１）を具備する。
このような構成の、例えば９１５ＭＨｚ又は２．４５ＧＨｚトランスポンダは一般に線形ダイポール（Ｌｉｎｅａｒ　Ｄｉｐｏｌｅ）や折返しダイポール（ｆｏｌｄｅｄ　Ｄｉｐｏｌｅ）を具備し、十分なエネルギーを吸収して半導体回路部（２２０）に電源を供給して応答を提供することになる。
このように超高周波ＲＦＩＤトランスポンダにおいてアンテナ（２１０）は重要な構成要素であり、高い周波数（４００ＭＨｚ〜２５ＧＨｚ）で動作するトランスポンダの場合、最も重要な特性はアンテナの指向性と帯域であり、一般に半波長或いは多重半波長ダイポールアンテナの利得に依存する。
【００３９】
一般的なマイクロストリップダイポールアンテナは、マイクロストリップ接地面の縮小効果で非常に小さい放射抵抗を有するため結果的に低い効率を有することになり、これは厚い基板を用いることにより克服できるがクレジットカード式への製作は難しい。
従って、本発明はクレジットカード内蔵の長距離ＲＦＩＤトランスポンダ金属アンテナ（２１０）に用いるに適したテーパスロット（Ｔａｐｅｒｅｄ　Ｓｌｏｔ）アンテナを具現したものである。
前記金属アンテナ（２１０）は完全平面で縦（ｅｎｄ−ｆｉｒｅ）パターンを有し、高い指向性と帯域幅を得ることができて薄い薄板への具現が可能であり、良好な放射パターンと放射利得を有してＴＭＯ表面波による損失を減少させることができる。
【００４０】
なお、前記テーパスロットアンテナ（２１３）はスロット幅が段階的に広くなるホーン状のアンテナであり、アンテナ面と並列方向に電磁波を放出する。
ここに、テーパスロットアンテナ（２１３）の構造がスロットラインと類似するため、接地面はマイクロストリップ線路上に位置する。
従って、給電線及び整合回路をアンテナと統合することは簡単であり、長距離認識用高周波送・受信装置のための広帯域アンテナ素子に適するのである。
アンテナ（２１０）の受信電力はマイクロストリップアンテナの利得算出式で見られるように面積に比例し、二つのスロットアンテナ（２１２）を直交配列することにより、添付図面の図１２の方向性比較図のように方向性問題を解決し、送出波のλ／４波長に該当する二つのダイポールアンテナ（２１１）を両縁部に具備して共振回路が構成されるようにすることにより最大のアンテナ利得を得ることができる。
【００４１】
【実施例２】
本発明の実施例２においては、実施例１で提示した長距離ＲＦＩＤ内蔵型クレジットカードを利用した、移動車両に対する通行料電子徴収システムを提供しようとすることである。
図１３は、長距離ＲＦＩＤ内蔵型クレジットカード（１０：以下、ＲＦＩＤクレジットカード）を利用した自動車通行料自動徴収システムの系統図を示すものであり、有料道路通行料自動料金徴収システムにおいて、従来の無線通信部分を担当する如何なる種類の車両搭載機も用いず走行中の車両に備えられた長距離認識ＲＦＩＤクレジットカード（１０）を直接認識できる質問機（４０）と、車両検出及び車種分類装置（４４：Ｄｅｔｅｃｔｏｒ）と、無断通過車両に対する車両番号撮影装置（４５：Ｖｉｄｅｏ　Ｓｙｓｔｅｍ）、トールゲートを通過する車両に対する長距離認識ＲＦＩＤクレジットカード（１０）を認識する認識処理コンピューター（４１：Ｉｄｅｎｔｉｆｉｃａｔｉｏｎ　＆　Ｃｏｎｔｒｏｌ）で構成し、前記認識処理コンピューター（４１）によるデータを公知された徴収管理コンピューター（４２：Ｍａｎａｇｅｍｅｎｔ　Ｃｏｍｐｕｔｅｒ）、中央処理コンピューター（４３：Ｃｅｎｔｒａｌ　Ｃｏｍｐｕｔｅｒ）、金融情報電算網（４６：ＶＡＮ）に伝送するよう構成する。
【００４２】
前記、ＲＦＩＤクレジットカード（１０）を料金支払意思の表示に車両内に取り付けることにおいては、ＲＦＩＤクレジットカード（１０）をカードホールド型スタンド（３２）に差し込んで車両のダッシュボード上に取り付けるか（図１４ｂ参照）、又は図１４ａのようにＰＶＣ材質のカードクリップ（３１）をルームミラーの後に取り付けるか、又は図１４ｃのように透明材質のビニルを利用したカードポケット（３３）に挿入して用いることができるようにする。
【００４３】
なお、前記長距離認識用ＲＦＩＤ質問機（４０）は車道の中央上部の約４．５ｍの高さにし、車両番号撮影装置（４５）の車両番号撮影用カメラ（４５ａ）は同じ高さの約２０ｍ後方に、交差車道に対しては互いに反対方向のビーコン指向特性を有するようにしてシステムの相互干渉が最小になるよう構成する。
【００４４】
このような構成の本発明は、質問機（４０）で質問情報と共にビーコンを送信し、ビーコン領域に長距離内蔵型ＲＦＩＤクレジットカード（１０）を備えた車両が進入すれば、ＲＦＩＤクレジットカード（１０）はビーコンの電力で印加され、カードの固有番号及び情報を暗号化して応信し、質問機（４０）は伝送されたカードの固有番号及び情報を読み取って認識処理コンピューター（４１）に伝達する。認識処理コンピューター（４１）は、進入車両の検出及び車種分類装置（４４）から車種情報の伝達を受けて当該車両の料金を算定し、認識されたクレジットカードの情報を徴収管理コンピューター（４２）及び中央処理コンピューター（４３）を経由してクレジットカード会社に使用承認要請を行うことになる。
【００４５】
このとき、使用不能カードに対しては直ちに警告灯やその他の出力装置で使用者に使用不可を示し、さらにＲＦＩＤクレジットカード（１０）が認識されない状態で車両検出装置（４４）から検出を認知すれば、使用不可の表示は勿論車両番号データを受けて無断通過車両として処理する。
徴収管理コンピューター（４２）は、認識処理コンピューター（４１）から各車道別に課金処理する当該情報等を収集して管理し、中央処理コンピューター（４３）と連動てカード使用承認の要請及び使用不可カードのデータベースを検索して金融情報電算網（４６）の方に伝送し、中央処理コンピューター（４３）は課金請求情報及びカード会社に対する料金請求情報を管理し、金融情報電算網（４６）を介してカード会社と接続される。
【００４６】
長距離ＲＦＩＤ内蔵型クレジットカード（１０）の効率的な認識処理のため車両の前面で容易に識別され得るよう、図１４ａのようにルームミラーの後にＰＶＣ材質のカードクリップ（３１）、又は図１４ｂのように車両のダッシュボード上にカードホールド型スタンド（３２）を作って立てるか、又は図１４ｃのような透明材質のビニルを利用したカードポケット（３３）を作って車両前面のガラスの適当な場所に取り付け、ＲＦＩＤクレジットカード（１０）を容易に備えることができるようにするだけでなく料金支払に対する意思表示として認識できるようにする。
【００４７】
走行する車両に備えられているＲＦＩＤクレジットカード（１０）の認識のための質問機（４０）及び車両番号撮影用カメラ（４５ａ）は図１５ａのような構成に設け、両車道に設けられた質問機の認識領域（４８）は互いに行き違う方向に設ける。質問機（４０）は図１５ｂのように、車道上の中央に乗用車は勿論大型車両まで通行が可能な高さに設けるようにして効率的なシステムになるようにする。
【００４８】
このような本発明の他の実施例として、車両に備えられた長距離認識ＲＦＩＤクレジットカード（１０）を直接認識処理できる長距離認識用ＲＦＩＤ質問機（４０）と徴収管理コンピューター（４２）で構成し、駐車料金自動徴収システム及び注油料金自動決済システムにも適用可能にすることができ、これは本発明の趣旨を外れるものではない。
【００４９】
【発明の効果】
本発明は、既存の受動トランスポンダ認識システムで問題になった認識距離の制限と、移動体に使用時にドップラー効果による周波数変動等に基づいた誤差問題を解決し、車両のような移動体に適用する通行料徴収システム等の遠距離又は近距離の移動体認識システムに適用できる技術である。
【００５０】
本発明は、小型クレジットカード式の長距離認識用受動トランスポンダのための高利得二重偏波アンテナの開発でトランスポンダ方向に係りなく一定の利得を有し、既存のトランスポンダタッグアンテナより約６〜９ｄＢ程度の利得向上で電源供給なくパッシブ型の小型クレジットカード式トランスポンダで長距離認識性能を提供するため、半永久的な寿命を有すると共に高速移動体の認識及び識別システムに適用できることは勿論のこと、受動トランスポンド技術の向上と多様な応用システムの出現で高速道路等の自動車通行料徴収システム、駐車管理システム、出入管理システム、ガソリンスタンド自動認識会員管理システム等の多様な分野に適用することができる。
【００５１】
特に、本発明は長距離認識用受動トランスポンダ（ＲＦＩＤ）機能を実装したクレジットカードを利用して有料道路の通行料金を徴収するためのものであり、既存の受動徴収や機械徴収システムより約４倍程度の道路の円滑な通行を可能にすることができ、既存の先進国で導入して活用されている車両搭載機を利用した方式と通行速度は同一であるが、経済的な側面で各車両に設けなければならないカード価格の約２０倍に達する高価の車両搭載機を必要とせず、普及・拡大の側面において利用者が購買しなければならない車両搭載機を購買しなくてもよく、長距離認識用クレジットカードはカード会社で既存のカードと交替普及が可能なので、電子料金徴収システムの速やかな普及・拡散が可能である。これは既存の受動料金徴収システムの安全、大気汚染等の劣悪な環境下で一つの車道当り約３．５名の人員投入を必要とする莫大な運営費を節減できるだけでなく、速やかな拡大・普及でトールゲートでの渋滞環境改善は勿論のこと、時間損失費用の節減、停車中消費させる莫大な物流及び油類の経費の節減を期待することができ、ガソリンスタンドの自動認識決済システム、駐車場管理及び料金徴収システム等の多様な分野に適用できるようにする技術であり、本発明の意図及び範囲を外れない程度で、図示して説明した構造で、多様な改善を行うことができる。
【図面の簡単な説明】
【図１】
本発明の質問機とトランスポンダの全体構成を概略的に示すブロック図である。
【図２】
本発明の質問機で二つの異なる周波数の電波が放射され、トランスポンダで二つの周波数が合成した電波が再放射される概念図である。
【図３ａ】
本発明のトランスポンダの機能を示す概略的なブロック図である。
【図３ｂ】
本発明の非線形インピーダンス半導体回路部の具体的な構成図である。
【図４】
図１のトーン変調された送信機の機能別の信号流れを示す回路構成図である。
【図５】
図１の持続波送信機の機能別の信号流れを示す回路構成図である。
【図６】
図１のトランスポンダで変調されたデータ受信機の機能別信号流を示す回路構成図である。
【図７ａ】
一般的なクレジットカードの外形規格図である。
【図７ｂ】
一般的なクレジットカードの外形側面図である。
【図８ａ】
本発明に用いられる高利得アンテナのクレジットカード内の配置図である。
【図８ｂ】
本発明に用いられる長距離認識用クレジットカードの製作断面図である。
【図９】
本発明に用いられる高利得アンテナの構造図である。
【図１０】
本発明に用いられる基本アンテナの構造図である。
【図１１】
本発明に係るアンテナ製作部分別の構造図である。
【図１２】
アンテナの方向に従う利得変化の比較表である。
【図１３】
本発明の長距離ＲＦＩＤ内蔵型クレジットカードを利用した自動車通行料自動徴収システムを概略的に示すブロック図である。
【図１４ａ】
本発明に係る長距離ＲＦＩＤ内蔵型クレジットカードの車両取り付け方法を示す構造図である。
【図１４ｂ】
本発明に係る長距離ＲＦＩＤ内蔵型クレジットカードの車両取り付け方法を示す構造図である。
【図１４ｃ】
本発明に係る長距離ＲＦＩＤ内蔵型クレジットカードの車両取り付け方法を示す構造図である。
【図１５ａ】
本発明の無線周波信号の方向及び認識領域を示す構造物の構成平面図である。
【図１５ｂ】
図１５ａの無線信号流れの方向を断面的に示す構成図である。
【符号の説明】
１０　クレジットカード
１１　マグネチック帯
３１　カードクリップ
３２　カードホールド型スタンド
３３　カードポケット
４０　質問機
４１　認識処理コンピューター
４２　徴収管理コンピューター
４３　中央処理コンピューター
４５　車両番号撮影装置
４６　金融情報電算網
１００　送信機
１１０　送信アンテナ
２００　トランスポンダ
２１０　誘電体折返しダイポールアンテナ（金属アンテナ）
２１１　ダイポール共振アンテナ
２１２　スロットアンテナ
２１３　データスロットアンテナ
２２０　非線形インピーダンス半導体回路部
２３０　チャージポンプ回路
３００　狭帯域受信機
３１０　受信アンテナ
３１１　フィルター
３１２　比較器
３１３　プリアンブル検出回路
３１４　局部発振器
３１９　ミキサー
３２３　修正弁別器
３２５　クランプ回路
３２８　データ検出器
【図１】
2004503125.tif 000003
【図２】
2004503125.tif 000004
【図３ａ】
2004503125.tif 000005
【図３ｂ】
2004503125.tif 000006
【図４】
2004503125.tif 000007
【図５】
2004503125.tif 000008
【図６】
2004503125.tif 000009
【図７ａ】
2004503125.tif 000010
【図７ｂ】
2004503125.tif 000011
【図８ａ】
2004503125.tif 000012
【図８ｂ】
2004503125.tif 000013
【図９】
2004503125.tif 000014
【図１０】
2004503125.tif 000015
【図１１】
2004503125.tif 000016
【図１２】
2004503125.tif 000017
【図１３】
2004503125.tif 000018
【図１４ａ】
2004503125.tif 000019
【図１４ｂ】
2004503125.tif 000020
【図１４ｃ】
2004503125.tif 000021
【図１５ａ】
2004503125.tif 000022
【図１５ｂ】
2004503125.tif 000023
【国際公開パンフレット】
2004503125.tif 000024
2004503125.tif 000025
2004503125.tif 000026
2004503125.tif 000027
2004503125.tif 000028
2004503125.tif 000029
2004503125.tif 000030
2004503125.tif 000031
2004503125.tif 000032
2004503125.tif 000033
2004503125.tif 000034
2004503125.tif 000035
2004503125.tif 000036
2004503125.tif 000037
2004503125.tif 000038
2004503125.tif 000039
2004503125.tif 000040
2004503125.tif 000041
2004503125.tif 000042
2004503125.tif 000043
2004503125.tif 000044
2004503125.tif 000045
2004503125.tif 000046
2004503125.tif 000047
2004503125.tif 000048
2004503125.tif 000049
2004503125.tif 000050
2004503125.tif 000051
2004503125.tif 000052
2004503125.tif 000053
2004503125.tif 000054
2004503125.tif 000055
2004503125.tif 000056
2004503125.tif 000057
2004503125.tif 000058
2004503125.tif 000059
2004503125.tif 000060
2004503125.tif 000061
2004503125.tif 000062
2004503125.tif 000063
2004503125.tif 000064
2004503125.tif 000065
2004503125.tif 000066
2004503125.tif 000067
2004503125.tif 000068
2004503125.tif 000069
2004503125.tif 000070
2004503125.tif 000071
2004503125.tif 000072
2004503125.tif 000073
2004503125.tif 000074
2004503125.tif 000075
2004503125.tif 000076
2004503125.tif 000077
2004503125.tif 000078
2004503125.tif 000079
2004503125.tif 000080
2004503125.tif 000081
2004503125.tif 000082
2004503125.tif 000083
2004503125.tif 000084
【国際調査報告】
2004503125.tif 000085